(57)【要約】【課題】記憶媒体に収まり切らない大サイズの面付けされた画像データを校正を行うための色見本として出力する際に、適切な領域を抽出して、その出力を行うことができる画像出力システム、制御装置、画像抽出方法、その方法を実行させるためのプログラム、及び、そのプログラムを記憶した記憶媒体を提供する。【解決手段】記憶媒体のサイズが適正に指定されると、サイズ比較部２５は画像領域記憶部２４に記憶媒体のサイズ毎に記憶されたカラーレーザープリンタ３の画像出力可能領域の中から該当するものを読み出し、画像データ解析部２２により解析された画像データ保存部２０に保存された画像データの画像サイズと比較する。トリミング部２６はその結果を受けてトリミング領域を決定し、スクリーン処理部２７はその決定に基づいて画像データ保存部２０に保存された画像データに色調整やスクリーン処理を施し、カラーレーザープリンタ３へ送信する。【選択図】      図３
2005037993.tif 000002
【特許請求の範囲】
【請求項１】
外部装置から、１又は複数の小サイズの画像データに基づく画像が面付けされた画像データを受けて、前記複数の画像を囲う特定領域が抽出された画像データを送信する制御装置と、前記送信された抽出された画像データに基づく画像を出力する画像出力装置と、を含む画像出力システムであって、
前記制御装置は、
前記受信した画像データを保存する画像データ保存部と、
前記保存された画像データに基づく画像の大きさを解析する画像データ解析部と、
予め記憶媒体の大きさ毎に、前記画像出力装置が出力する画像領域の大きさを記憶する画像領域記憶部と、
前記画像出力装置が出力する記憶媒体の大きさを指定するための媒体指定部と、
前記解析された画像の大きさと、前記画像領域記憶部に記憶され、前記指定された記憶媒体に対応する画像領域の大きさとを比較することで、前記保存された画像データに基づく画像を囲う抽出領域を決定する比較決定部と、
前記決定された抽出領域に基づいて、前記保存された画像データから前記抽出領域内に相当する画像データを抽出し、その画像データを前記特定領域が抽出された画像データとして前記画像出力装置へ送信する抽出部と、を備えたことを特徴とする画像出力システム。
【請求項２】
前記画像データ解析部は、前記保存された画像データに基づく画像の大きさに加えて、当該画像の座標位置を解析すると共に、
前記比較決定部は、前記解析された画像の座標位置と、前記画像領域記憶部に前記画像領域の大きさと共に記憶され、前記指定された記憶媒体に対応する画像領域の座標位置とに基づいて、前記抽出領域を決定することを特徴とする請求項１記載の画像出力システム。
【請求項３】
前記比較決定部は、前記解析された画像の座標位置と、前記指定された記憶媒体に対応する画像領域の座標位置とに基づいて、前記抽出領域を前記保存された画像データに基づく画像の中央に配置することを特徴とする請求項２記載の画像出力システム。
【請求項４】
前記画像データ解析部により前記保存された画像データに基づく画像の大きさが解析された際に、前記解析された画像の大きさを表示する表示部をさらに備えたことを特徴とする請求項１乃至請求項３の何れか一項に記載の画像出力システム。
【請求項５】
前記複数の小サイズの画像データに基づく画像が面付けされた画像データに基づく画像は、前記画像が面付けされる画像領域と、断裁や製本又は多色刷りの作業指標となるトンボやパンチ穴が形成される余白領域とから構成され、
前記比較決定部は、前記保存された画像データの前記余白領域を除いた前記画像領域を、前記解析された画像の大きさとすることを特徴とする請求項１乃至請求項４の何れか一項に記載の画像出力システム。
【請求項６】
前記複数の画像データに基づく画像は、校正を行うために色見本として出力されるものであり、前記画像出力装置は、カラーレーザープリンタであることを特徴とする請求項１乃至請求項５の何れか一項に記載の画像出力システム。
【請求項７】
画像データに基づく画像を出力する画像出力装置に対して、外部装置から１又は複数の小サイズの画像データに基づく画像が面付けされた画像データを受けて前記複数の画像を囲う特定領域が抽出された画像データを送信する制御装置であって、
前記受信した画像データを保存する画像データ保存部と、
前記保存された画像データに基づく画像の大きさを解析する画像データ解析部と、
予め記憶媒体の大きさ毎に、前記画像出力装置が出力する画像領域の大きさを記憶する画像領域記憶部と、
前記画像出力装置が出力する記憶媒体の大きさを指定するための媒体指定部と、
前記解析された画像の大きさと、前記画像領域記憶部に記憶され、前記指定された記憶媒体に対応する画像領域の大きさとを比較することで、前記保存された画像データに基づく画像を囲う抽出領域を決定する比較決定部と、
前記決定された抽出領域に基づいて、前記保存された画像データから前記抽出領域内に相当する画像データを抽出し、その画像データを前記特定領域が抽出された画像データとして前記画像出力装置へ送信する抽出部と、を備えたことを特徴とする制御装置。
【請求項８】
前記画像データ解析部は、前記保存された画像データに基づく画像の大きさに加えて、当該画像の座標位置を解析すると共に、
前記比較決定部は、前記解析された画像の座標位置と、前記画像領域記憶部に前記画像領域の大きさと共に記憶され、前記指定された記憶媒体に対応する画像領域の座標位置とに基づいて、前記抽出領域を決定することを特徴とする請求項７記載の制御装置。
【請求項９】
前記比較決定部は、前記解析された画像の座標位置と、前記指定された記憶媒体に対応する画像領域の座標位置とに基づいて、前記抽出領域を前記保存された画像データに基づく画像の中央に配置することを特徴とする請求項８記載の制御装置。
【請求項１０】
前記画像データ解析部により前記保存された画像データに基づく画像の大きさが解析された際に、前記解析された画像の大きさを表示する表示部をさらに備えたことを特徴とする請求項７乃至請求項９の何れか一項に記載の制御装置。
【請求項１１】
前記複数の小サイズの画像データに基づく画像が面付けされた画像データに基づく画像は、前記画像が面付けされる画像領域と、断裁や製本又は多色刷りの作業指標となるトンボやパンチ穴が形成される余白領域とから構成され、
前記比較決定部は、前記保存された画像データの前記余白領域を除いた前記画像領域を、前記解析された画像の大きさとすることを特徴とする請求項７乃至請求項１０の何れか一項に記載の制御装置。
【請求項１２】
前記複数の画像データに基づく画像は、校正を行うために色見本として出力されるものであることを特徴とする請求項７乃至請求項１１の何れか一項に記載の制御装置。
【請求項１３】
外部装置から、１又は複数の小サイズの画像データに基づく画像が面付けされた画像データを受けて、前記複数の画像を囲う特定部分が抽出された画像データを生成することで、当該抽出された画像データに基づく画像を出力するための画像抽出方法であって、
前記受信した画像データを保存する画像データ保存ステップと、
前記保存された画像データに基づく画像の大きさを解析する画像データ解析ステップと、
予め記憶媒体の大きさ毎に、前記画像出力装置が出力する画像領域の大きさを記憶する画像領域記憶ステップと、
前記画像出力装置が出力する記憶媒体の大きさが指定される媒体指定ステップと、
前記解析された画像の大きさと、前記画像領域記憶部に記憶され、前記指定された記憶媒体に対応する画像領域の大きさとを比較することで、前記保存された画像データに基づく画像を囲う抽出領域を決定する比較決定ステップと、
前記決定された抽出領域に基づいて、前記保存された画像データから前記抽出領域内に相当する画像データを抽出することで、前記特定領域が抽出された画像データを生成する抽出ステップと、を含むことを特徴とする画像抽出方法。
【請求項１４】
前記画像データ解析ステップでは、前記保存された画像データに基づく画像の大きさに加えて、当該画像の座標位置を解析すると共に、
前記比較決定ステップでは、前記解析された画像の座標位置と、前記画像領域記憶ステップにおいて前記画像領域の大きさと共に記憶され、前記指定された記憶媒体に対応する画像領域の座標位置とに基づいて、前記抽出領域を決定することを特徴とする請求項１３記載の画像抽出方法。
【請求項１５】
前記比較決定ステップでは、前記解析された画像の座標位置と、前記指定された記憶媒体に対応する画像領域の座標位置とに基づいて、前記抽出領域を前記保存された画像データに基づく画像の中央に配置することを特徴とする請求項１４記載の画像抽出方法。
【請求項１６】
前記画像データ解析ステップにおいて前記保存された画像データに基づく画像の大きさが解析された際に、前記解析された画像の大きさを表示する表示ステップをさらに含むことを特徴とする請求項１３乃至請求項１５の何れか一項に記載の画像抽出方法。
【請求項１７】
前記複数の小サイズの画像データに基づく画像が面付けされた画像データに基づく画像は、前記画像が面付けされる画像領域と、断裁や製本又は多色刷りの作業指標となるトンボやパンチ穴が形成される余白領域とから構成され、
前記比較決定ステップでは、前記保存された画像データの前記余白領域を除いた前記画像領域を、前記解析された画像の大きさとすることを特徴とする請求項１３乃至請求項１６の何れか一項に記載の画像抽出方法。
【請求項１８】
前記複数の画像データに基づく画像は、校正を行うために色見本として出力されるものであることを特徴とする請求項１３乃至請求項１７の何れか一項に記載の画像抽出方法。
【請求項１９】
請求項１３乃至請求項１８の何れか一項に記載の画像抽出方法をコンピュータにおいて実行させることを特徴とするプログラム。
【請求項２０】
請求項１９記載のプログラムをコンピュータにより読み出し可能に記憶したことを特徴とする記憶媒体。
【発明の詳細な説明】
【０００１】
【発明の属する技術分野】
本発明は、画像出力システム、制御装置、画像抽出方法、その方法を実行させるためのプログラム、及び、そのプログラムを記憶した記憶媒体に関し、特に、画像出力装置の画像出力可能領域を超過する大サイズの画像を、校正を行うための色見本として出力するものに関する。
【０００２】
【従来の技術】
近年では、ＤＴＰ（Ｄｅｓｋ  Ｔｏｐ  Ｐｕｂｌｉｓｈｉｎｇ）等の普及により、スキャナから入力した画像をコンピュータのソフトウェア上で画像編集し、ページ面付けする作業が一般化し、フルディジタルでの編集も珍しくなくなってきている。
【０００３】
このような工程では、さらなる効率化を目指して、フィルムにページ面付け済みの画像データを直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
この場合、校正確認の為だけに一旦フィルム出力や印刷版出力を行い、印刷校正や、その他の校正材料による校正を行うことは、フィルム、印刷版のムダや余計な作業が多くなる問題がある。
【０００５】
そこで、このようなコンピュータによるフルディジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）と呼ばれる直接カラー画像出力を行うシステムが求められている。
【０００６】
このようなＤＤＣＰは、ページ面付け済みの画像データをイメージセッタなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、これを再現するＤＣＰ（Ｄｉｇｉｔａｌ  Ｃｏｌｏｒ  Ｐｒｏｏｆ）を作成し、その絵柄、色調、文章文字等の確認を行うことを目的とするものである。
【０００７】
また、このようなＤＣＰ作成システムでは、このＤＣＰを作成する前に、カラーレーザープリンタにより単ページの画像データ（ページ面付けする前の画像データ）の小サイズ出力を行い、その出力物であるカラーカンプの絵柄、色調、文章文字等の確認を行うことが行われる。
【０００８】
即ち、印刷製版工程においては、最終的な印刷作業を行う前に、出力対象の絵柄、色調、文章文字等の確認を行うカラーカンプやＤＣＰを作成し、その色校正を行うことが一般的である。
【０００９】
ところで、最近では、カラーレーザープリンタの性能向上に伴い、安価で高速に高品位なカラー出力を行うことが可能になってきたことから、カラープルーフを作成する用途に、このようなカラーレーザープリンタを使用したいという要求が高まってきている
【００１０】
このようなカラーレーザープリンタとしては、特開平５−４８８５７号公報に開示される電子写真方式のカラーレーザープリンタや、スキャナ・コピア・ファクシミリ機能を併せ持つ複合機等を挙げることができる（例えば、特許文献１参照）。
【００１１】
また、色校正に用いられる画像データは、工程上の品質保証の観点から、最終的な印刷作業を行うＣＴＰ等に出力される画像データと同一のものを用いることが好ましいとされる。この画像データは、ページ面付けされた画像データ（汎用のページ記述言語であるＰｏｓｔＳｃｒｉｐｔやＰＤＦで記述された画像データ）を、ＣＴＰに接続されているＲＩＰ（Ｒａｓｔｅｒ  Ｉｍａｇｅ  Ｐｒｏｃｅｓｓｏｒ）において解析加工（文字フォント情報などのベクトルデータをラスター化若しくはアウトライン化）した後のデジタルファイルのことである。これをＣＴＰとＤＣＰとの間で使いまわすことで、ＲＩＰ処理時間の短縮を図り、また、ＲＩＰ処理違いによる出力結果の相違をなくすことができる。
【００１２】
しかしながら、ＣＴＰで出力される画像データは、図６に示すように、一般的には小サイズ（例えば、Ａ４サイズ（縦２９７［ｍｍ］×横２１０［ｍｍ］））の画像データを面付け（例えば、８面付け）した上で、余白（トンボ領域やＣＴＰ  Ｐｌａｔｅのパンチ領域）を付加した定型サイズ以上（例えば、Ａ１ワイドサイズ（縦６７０［ｍｍ］×横９６７［ｍｍ］））の画像データであることが多いのに対して、現状のほとんどのカラーレーザープリンタの出力サイズは最大でもＡ３ワイド（縦４５７［ｍｍ］×横３１１［ｍｍ］）となっているため、このような定型サイズ以上の画像データを出力する場合には、適正にこれを出力するといったことは困難であった。因みに、このような場合には、ＣＴＰで出力される画像データの一部の領域がカラーレーザープリンタの出力サイズで出力されることとなっている。
【００１３】
また、本来であれば出力することが可能なＡ４サイズ（縦２９７［ｍｍ］×横２１０［ｍｍ］）の画像データの２面付けをＡ３サイズ（縦２９７［ｍｍ］×横４２０［ｍｍ］）の記憶媒体で出力する場合や、Ａ４サイズ（縦２９７［ｍｍ］×横２１０［ｍｍ］）の画像データをＡ４サイズ（縦２９７［ｍｍ］×横２１０［ｍｍ］）の記憶媒体で出力する場合においても、ＣＴＰで出力される画像データには、余白があるために適正にこれを出力するといったことは困難であった。
【００１４】
例えば、図７（ａ）に示すように、Ａ４サイズ（縦２９７［ｍｍ］×横２１０［ｍｍ］）の画像データの２面付けをＡ３サイズ（縦２９７［ｍｍ］×横４２０［ｍｍ］）の記憶媒体で出力する場合、ＣＴＰで出力される画像データには、例えば縦横２５．４［ｍｍ］の余白（トンボ領域やＣＴＰ  Ｐｌａｔｅのパンチ領域）が付加されているため、この余白部分により画像領域に欠ける部分（出力されない部分）が生じてしまう。また、図７（ｂ）に示すように、Ａ４サイズ（縦２９７［ｍｍ］×横２１０［ｍｍ］）の画像データをＡ４サイズ（縦２９７［ｍｍ］×横２１０［ｍｍ］）の記憶媒体で出力する場合にも、ＣＴＰで出力される画像データには、例えば縦横２５．４［ｍｍ］の余白（トンボ領域やＣＴＰ  Ｐｌａｔｅのパンチ領域）が付加されているため、この余白部分により画像領域に欠ける部分（出力されない部分）が生じてしまう。
【００１５】
このようなことは、カラーレーザープリンタを、ＤＣＰを作成する手段として用いる際の大きな障害となっている。従って、これを回避するために、前者に対しては分割出力を行う、後者に対しては、１サイズ大きい（Ｂ４サイズの）記憶媒体を用いる等の措置が採られているが、各々、分割出力後の貼り合わせの手間がかかる、コスト高につながるといった問題がある。
【００１６】
そこで、このような問題を解決するために、出力結果の確認作業において必ずしも必要のないデータ周縁部のトンボ領域を取り除いたうえで出力することが効果的と考えられる。その基本的な概念としては、例えば特開平５−１５３３６３号公報に記載される画像情報処理装置等を挙げることができる（例えば、特許文献２参照）。
【００１７】
【特許文献１】
特開平５−４８８５７号公報
（段落〔００１１〕‐〔００７０〕、第１図乃至第１３図）
【特許文献２】
特開平５−１５３３６３号公報
（段落〔００１０〕‐〔００２６〕、第１図乃至第５図）
【００１８】
【発明が解決しようとする課題】
しかしながら、当該画像情報処理装置は、不定形な画像データを読み込むことを前提としたイメージスキャナ向けの技術であるため、必要領域の検出機構が当該印刷製版分野において用いるには複雑すぎて高コスト化を招く。当該印刷製版分野では、前述したように定形なデータを用いることが多いため、簡易且つ低コストな方法で、このような処理を行うことが望まれている。
【００１９】
本発明は、上記問題を鑑みて成されたものであり、その目的とするところは、記憶媒体に収まり切らない大サイズの面付けされた画像データを、校正を行うための色見本として出力する場合に、適切な領域を抽出して、その出力を行うことができる画像出力システム、制御装置、画像抽出方法、その方法を実行させるためのプログラム、及び、そのプログラムを記憶した記憶媒体を提供することにある。
【００２０】
【課題を解決するための手段】
上記課題を解決するために、請求項１記載の発明は、外部装置から、１又は複数の小サイズの画像データに基づく画像が面付けされた画像データを受けて、前記複数の画像を囲う特定領域が抽出された画像データを送信する制御装置と、前記送信された抽出された画像データに基づく画像を出力する画像出力装置と、を含む画像出力システムであって、前記制御装置は、前記受信した画像データを保存する画像データ保存部と、前記保存された画像データに基づく画像の大きさを解析する画像データ解析部と、予め記憶媒体の大きさ毎に、前記画像出力装置が出力する画像領域の大きさを記憶する画像領域記憶部と、前記画像出力装置が出力する記憶媒体の大きさを指定するための媒体指定部と、前記解析された画像の大きさと、前記画像領域記憶部に記憶され、前記指定された記憶媒体に対応する画像領域の大きさとを比較することで、前記保存された画像データに基づく画像を囲う抽出領域を決定する比較決定部と、前記決定された抽出領域に基づいて、前記保存された画像データから前記抽出領域内に相当する画像データを抽出し、その画像データを前記特定領域が抽出された画像データとして前記画像出力装置へ送信する抽出部と、を備えたことを特徴とする。
【００２１】
上記課題を解決するために、請求項７記載の発明は、画像データに基づく画像を出力する画像出力装置に対して、外部装置から１又は複数の小サイズの画像データに基づく画像が面付けされた画像データを受けて前記複数の画像を囲う特定領域が抽出された画像データを送信する制御装置であって、前記受信した画像データを保存する画像データ保存部と、前記保存された画像データに基づく画像の大きさを解析する画像データ解析部と、予め記憶媒体の大きさ毎に、前記画像出力装置が出力する画像領域の大きさを記憶する画像領域記憶部と、前記画像出力装置が出力する記憶媒体の大きさを指定するための媒体指定部と、前記解析された画像の大きさと、前記画像領域記憶部に記憶され、前記指定された記憶媒体に対応する画像領域の大きさとを比較することで、前記保存された画像データに基づく画像を囲う抽出領域を決定する比較決定部と、前記決定された抽出領域に基づいて、前記保存された画像データから前記抽出領域内に相当する画像データを抽出し、その画像データを前記特定領域が抽出された画像データとして前記画像出力装置へ送信する抽出部と、を備えたことを特徴とする。
【００２２】
上記課題を解決するために、請求項１３記載の発明は、外部装置から、１又は複数の小サイズの画像データに基づく画像が面付けされた画像データを受けて、前記複数の画像を囲う特定部分が抽出された画像データを生成することで、当該抽出された画像データに基づく画像を出力するための画像抽出方法であって、前記受信した画像データを保存する画像データ保存ステップと、前記保存された画像データに基づく画像の大きさを解析する画像データ解析ステップと、予め記憶媒体の大きさ毎に、前記画像出力装置が出力する画像領域の大きさを記憶する画像領域記憶ステップと、前記画像出力装置が出力する記憶媒体の大きさが指定される媒体指定ステップと、前記解析された画像の大きさと、前記画像領域記憶部に記憶され、前記指定された記憶媒体に対応する画像領域の大きさとを比較することで、前記保存された画像データに基づく画像を囲う抽出領域を決定する比較決定ステップと、前記決定された抽出領域に基づいて、前記保存された画像データから前記抽出領域内に相当する画像データを抽出することで、前記特定領域が抽出された画像データを生成する抽出ステップと、を含むことを特徴とする。
【００２３】
上記課題を解決するために、請求項１９記載の発明は、請求項１３乃至請求項１８の何れか一項に記載の画像抽出方法をコンピュータにおいて実行させることを特徴とする。
【００２４】
上記課題を解決するために、請求項２０記載の発明は、請求項１９記載のプログラムをコンピュータにより読み出し可能に記憶したことを特徴とする。
【００２５】
【発明の実施の形態】
以下、本発明に係る画像出力システム、制御装置、画像出力装置、画像抽出方法、その方法を実行させるためのプログラム、及び、そのプログラムを記憶した記憶媒体の一実施形態について、図面を参照しながら詳細に説明する。
【００２６】
［画像出力システム］
まず、本実施形態における画像出力システムのシステム構成及び概略動作について、図１を参照しつつ、図２に示すフローチャートの流れに沿って説明する。
【００２７】
＜システム構成＞
図１に示すように、当該画像出力システムは、画像データの画像編集、面付け作業を行うためのクライアント端末１と、このクライアント端末１から送信された、例えばＰｏｓｔＳｃｒｉｐｔで記述されたカンプ用画像データ（ページ面付けする前の単ページの画像データ）を後述するカラーレーザープリンタ３に送信する制御装置２と、この制御装置２から送信されたカンプ用画像データに基づく画像を出力し、また、後述するＣＴＰ用ＲＩＰ４から送信された最終出力用画像データ（カンプ用画像データを複数面付けした画像データ）に基づく画像を出力する帯電複写方式のカラーレーザープリンタ３と、クライアント端末から送信された、例えばＰｏｓｔＳｃｒｉｐｔで記述された最終出力用画像データにＲＩＰ処理（ＣＴＰ６やＤＣＰ作成装置７の出力解像度にあわせてビットマップデータに変換する処理）を行った後、これを制御装置２やＣＴＰ６、高精度なＤＣＰが必要な場合には、ＤＣＰ制御装置５に送信するＣＴＰ用ＲＩＰ４と、このＣＴＰ用ＲＩＰ４からＤＣＰ制御装置５を介して送信された最終出力用画像データに基づく画像をＤＣＰとして出力するＤＣＰ作成装置７と、このＣＴＰ用ＲＩＰ４から送信された最終出力用画像データに基づく画像を出力するＣＴＰ６とから構成されている。これらは、各々、ネットワークを介して接続されている。
【００２８】
尚、クライアント端末１、制御装置２、ＣＴＰ用ＲＩＰ４及びＤＣＰ制御装置５は、各々、コンピュータ端末として動作するものであって、コンピュータ本体、キーボード、表示部等を備え、所定の動作プログラムが組み込まれている。さらに、クライアント端末１は、イメージスキャナ等の画像データを取得するために必要な画像入力機器を備えている。
【００２９】
＜概略動作＞
図２に示すように、このような構成において、クライアント端末１において画像編集された画像データは、制御装置２へ送信され、これを受けた制御装置２は、カラーレーザープリンタ３の出力制御を行い、カラーレーザープリンタ３がカラーカンプを出力する（Ｓ０１）。尚、此処に言う“カラーカンプ”とは、色付きの仕上がり見本のことであり、ページ面付けされる写真やイラストのダミーとして最終的な印刷物に近い仕上がりイメージを見せることにより、デザインが企画・編集意図に沿ったものであるかどうかの検討や、クライアントの承諾を得るためなどに作成されるものである。即ち、この際には、単ページの小サイズ出力が行われ、文字校正等の作業結果確認が行われる。
【００３０】
ここで、作業者により問題がないことが確認された場合には（Ｓ０２、Ｙｅｓ）、クライアント端末１において面付け作業が行われる（Ｓ０３）。尚、此処に言う“面付け作業”とは、製版フィルムを最終的に印刷して折り丁にしたときにノンブル（そのページが何ページ目かがわかるように、ページの端に入れておく番号のこと）が順に並ぶように、写真やイラスト等の画像を１６ページ単位、或いは８ページ単位や４ページ単位で、印刷機にかける用紙のサイズに合わせて貼り合わせる作業のことである。
【００３１】
そして、クライアント端末１からＣＴＰ用ＲＩＰ４へ面付け作業が行われた最終出力用の画像データを送信して、これを受けたＣＴＰ用ＲＩＰ４は、その最終出力用の画像データに対してＲＩＰ処理を施す、具体的には、ＤＣＰ作成装置７やＣＴＰ６の出力解像度にあわせてビットマップデータに変換することでＲＩＰ処理済み画像データを作成する（Ｓ０４）。このＲＩＰ処理済み画像データは、ＣＴＰ用ＲＩＰ４から制御装置２へ送信され、これを受けた制御装置２は、カラーレーザープリンタ３の出力制御を行い、カラーレーザープリンタ３がその最終出力用の画像データに基づく画像を出力する（Ｓ０５）。その面付けされた画像が形成された出力物は、ＤＣＰとして使用される。尚、ここで、高精度のＤＣＰが必要になる場合には、ＲＩＰ処理済み画像データをＤＣＰ制御装置７へ送信して、これを受けたＤＣＰ制御装置７は、ＤＣＰ作成装置８の出力制御を行い、ＤＣＰ作成装置８がその最終出力用の画像データに基づく画像を出力する。その面付けされた画像が形成された出力物は、ＤＣＰとして使用される。
【００３２】
そして、ＤＣＰの色校正が行われ、作業者により問題がないことが確認された場合には（Ｓ０６、Ｙｅｓ）、ＣＴＰ用ＲＩＰからＲＩＰ処理済みデータ（ＤＣＰを出力する際に用いたデータと同一のデータ）をＣＴＰに送信して、ＣＴＰにより印刷版に直接画像記録を行う（Ｓ０７）。さらに、その印刷版により印刷を行い、その印刷物である面付けされた画像の色校正が行われ、ここで、作業者により問題がないことが確認された場合には（Ｓ０８、Ｙｅｓ）、印刷機により最終印刷物を印刷する工程に移行する（Ｓ０９）。
【００３３】
［制御装置］
次に、当該画像出力システムを構成する制御装置２の詳細構成及び詳細動作について、図３及び図５を参照しつつ、図４に示すフローチャートの流れに沿って説明する。尚、以下においては、本発明の特徴部分である当該制御装置２における面付けされた画像データの出力処理について説明する。
【００３４】
＜詳細構成＞
図３に示すように、制御装置２は、当該装置に入力された画像データを保存する画像データ保存部２０と、この画像データ保存部２０に画像データが保存されることを監視する画像データ入力監視部２１と、この画像データ入力監視部２１から通知を受けて、画像データ保存部２０に保存された画像データの画像サイズを解析する画像データ解析部２２と、画像データ保存部２０に保存された画像データを出力する記憶媒体のサイズを指定するための媒体指定部２３と、予め記憶媒体の各サイズに応じたカラーレーザープリンタ３の画像出力可能領域の大きさを記憶する画像領域記憶部２４と、画像データ解析部２２により解析された画像サイズの画像を、媒体指定部２３において指定されたサイズの記憶媒体に出力する場合に、どの領域をトリミング（画像出力領域から除外）するのかを画像領域記憶部２４に記憶される該当する記憶媒体（媒体指定部２３において指定されたサイズの記憶媒体）の画像出力可能領域の大きさに基づいて決定するサイズ比較部２５と、このサイズ比較部２５によって決定された領域に従って、画像データ保存部２０に保存された画像データ（画像データ解析部２２により解析された画像サイズの画像）をトリミングするトリミング処理を施すトリミング部２６と、このトリミング部２６によりトリミング処理が施された画像データに対して、色調整やスクリーン処理（写真やイラストなどのように階調のある原稿を、印刷用の原稿に加工するために細かい点の集まり（網、網点、ハーフトーンドット等）に置き換える処理のこと）を施し、これをカラーレーザープリンタ３へ送信するスクリーン処理部２７とから構成されている。尚、サイズ比較部２５は、本発明の「比較決定部」に対応する。また、トリミング部２６及びスクリーン処理部２７は、本発明の「抽出部」に対応する。
【００３５】
＜詳細動作＞
図４に示すように、このような構成において、ＣＴＰ用ＲＩＰ４から最終出力用の画像データ（ＲＩＰ処理され、面付けされた画像データ）が入力され、これが画像データ保存部２０に保存されると（画像データ保存ステップ；Ｓ１０）、画像データ入力監視部２１は、その旨を画像データ解析部２２に通知し、これを受けて、画像データ解析部２２は、画像データ保存部２０に保存された画像データの画像サイズを解析する（画像データ解析ステップ）。これにより、画像データ内に記述されている当該画像データの画像サイズ（縦Ｙ［ｍｍ］×横Ｘ［ｍｍ］）及びその位置座標、さらには、面付け情報（当該画像データ内に、縦横、何枚の画像データが面付けされているのか）が取得される（Ｓ１１）。但し、画像データ解析部２２は、当該画像データがＣＴＰで出力される画像データである場合には、余白（トンボ領域やＣＴＰ  Ｐｌａｔｅのパンチ領域のこと）を除いた、面付けされた画像データの領域を合わせた大きさを当該画像データの画像サイズとして取得するものとする。即ち、このような場合には、余白と、面付けされた画像データの領域の大きさが画像データ内に記述されていることとする。
【００３６】
当該制御装置２の表示部は、ここで、上述した面付け情報をＧＵＩ（Ｇｒａｐｈｉｃａｌ  Ｕｓｅｒ  Ｉｎｔｅｒｆａｃｅ）を介して表示する（表示ステップ）。作業者は、この表示部に表示される面付け情報を参照することで、媒体指定部２３において、画像データ保存部２０に保存された画像データを出力する記憶媒体のサイズを適正に指定する（具体的には、面付けされている画像データに基づく画像を囲う領域の全てを出力することができる記憶媒体のサイズを指定する）。これにより、画像データを出力する記憶媒体のサイズが取得される（媒体指定ステップ；Ｓ１２）。
【００３７】
すると、サイズ比較部２５は、画像領域記憶部２４に予め記憶された（画像領域記憶ステップ）記憶媒体の各サイズに応じたカラーレーザープリンタ３の画像出力可能領域の大きさの中から、媒体指定部２３において指定された記憶媒体のサイズに対応するものを読み出して（Ｓ１３）、その画像出力可能領域の大きさ（縦Ｖ［ｍｍ］×横Ｈ［ｍｍ］）に基づいて、画像データ解析部２２により解析された画像サイズの画像を、媒体指定部２３において指定されたサイズの記憶媒体に出力する場合にトリミングする領域を決定する（比較決定ステップ）。
【００３８】
サイズ比較部２５は、具体的には、まず、画像データ保存部２０に保存された画像データの画像サイズ（縦Ｙ［ｍｍ］×横Ｘ［ｍｍ］）と、媒体指定部２３において指定された記憶媒体のサイズに対応する画像出力可能領域の大きさ（縦Ｖ［ｍｍ］×横Ｈ［ｍｍ］）とを比較することで、縦横、何れかにおいて、画像データの画像サイズが画像出力可能領域の大きさを超過するか否かを判断する（Ｓ１４）。ここで、何れも超過していなかった場合には（Ｓ１４、Ｎｏ）、トリミング部２６は、後述するトリミング処理を行うことなく、画像データ保存部２０に保存された画像データを１ライン毎に読み出し、その画像データをスクリーン処理部２７に出力する。スクリーン処理部２７は、このトリミング部２６より出力された画像データに対して、順次、色調整やスクリーン処理を施し、これをカラーレーザープリンタ３へ送信する。一方、ここで、何れかが超過していた場合には（Ｓ１４、Ｙｅｓ）、トリミング部２６は、下記式により、図５に示すトリミングの原点（Ｘ、Ｙ）の位置座標を算出する。尚、上述したように、画像データに基づく画像の位置座標は、画像データ内に記述されおり、画像データ解析部２２がこれを解析することで取得される。また、媒体指定部２３において指定された記憶媒体のサイズに対応する画像出力可能領域の位置座標は、画像領域記憶部２４に予め記憶媒体の各サイズに応じたカラーレーザープリンタ３の画像出力可能領域と共に記憶されたものの中からサイズ比較部２５が該当するものを読み出すこととする。因みに、本実施形態においては、画像データの図における左下端を座標軸の原点とし、１ｍｍを単位に座標位置を表現する。
【００３９】
【式１】
Ｘ＝（Ｎ−Ｈ）／２      （但し、Ｘ＜０ならば、Ｘ＝０とする）
Ｙ＝（Ｍ−Ｖ）／２      （但し、Ｙ＜０ならば、Ｙ＝０とする）
【００４０】
このようにして、サイズ比較部２５によりトリミングの原点の座標が算出されると、トリミング部２６は、画像データ保存部２０に保存された画像データを１ライン毎に読み出し（Ｓ１６）、当該１ラインを構成する最初の画素の座標（ｘ、ｙ）が下記式の全てを満たすか否かを判断する（Ｓ１７）。
【００４１】
【式２】
ｘ＞Ｘ
ｘ＜（Ｘ＋Ｈ）
ｙ＞Ｙ
ｙ＜（Ｙ＋Ｖ）
【００４２】
ここで、何れかが満たされていなかった場合には（Ｓ１７、Ｎｏ）、スクリーン処理部２７はその画素に対応するデータに対して、色調整やスクリーン処理を施すことなく後述するＳ１９へ移行する。一方、ここで、全てが満たされていた場合には（Ｓ１７、Ｙｅｓ）、スクリーン処理部２７は、その画素に対応するデータに対して、色調整やスクリーン処理を施す（Ｓ１８）。さらに、トリミング部２６は、当該画素の座標（ｘ）が画像データの画像サイズ（横Ｎ［ｍｍ］）に到達したか否かを判断する（Ｓ１９）。ここで、到達していなかった場合には（Ｓ１９、Ｎｏ）、隣の画素（ｘ＝ｘ＋１とする）を対象として、再度、Ｓ１７へ移行する。そして、当該画素の座標（ｘ）が画像データの画像サイズ（横Ｎ［ｍｍ］）に到達した場合には（Ｓ１９、Ｙｅｓ）、スクリーン処理部２７は、当該１ラインの画像データをカラーレーザープリンタ３へ送信する。さらに、トリミング部２６は、当該画素の座標（ｙ）が画像データの画像サイズ（縦Ｍ［ｍｍ］）に到達したか否かを判断する（Ｓ２０）。ここで、到達していなかった場合には（Ｓ２０、Ｎｏ）、次の１ライン（ｙ＝ｙ＋１とする）を対象として、再度、Ｓ１６へ移行する。そして、当該画素の座標（ｙ）が画像データの画像サイズ（横Ｎ［ｍｍ］）に到達した場合には（Ｓ２０、Ｙｅｓ）、当該制御装置２における画像データのトリミング処理が終了する（抽出ステップ）。
【００４３】
尚、トリミング部２６は、当該画像データがＣＴＰで出力される画像データである場合には、本来出力する必要のない余白（トンボ領域やＣＴＰ  Ｐｌａｔｅのパンチ領域のこと）を除いた面付けされた画像データの領域部分に対して上述したトリミングを行うものとする。
【００４４】
これを受けたカラーレーザープリンタ３は、順次、送信された画像データに基づく画像を出力する（Ｓ２２）。
【００４５】
作業者は、カラーレーザープリンタ３から出力された出力物をＤＣＰとして使用する。
【００４６】
このように、本実施形態における画像出力システムにおいては、記憶媒体に収まり切らない大サイズの面付けされた画像データを出力する場合であっても、作業者が媒体指定部２３において、出力する記憶媒体の大きさを適正に指定することで、トリミング部２６が適切な領域を抽出し、その周縁部をトリミングする処理を行い、カラーレーザープリンタ３が、その抽出された領域を出力することになるので、作業者は、当該出力物をＤＣＰとして良好に使用することができる。
【００４７】
［プログラム及びこれを記憶する記憶媒体］
尚、当該画像出力システムを構成する制御装置２において行われるトリミング処理、具体的には、図４に示すフローチャートのＳ１０〜Ｓ２１までの処理を実行させるためのプログラムは、制御装置２に内蔵、若しくは、接続される記憶媒体に記憶されており、同じく制御装置２に内蔵される演算部により、これが読み出されて実行されるものとする。
【００４８】
上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００４９】
ところで、以上に説明した本実施形態における画像出力システム、制御装置、画像抽出方法、その方法を実行させるためのプログラム、及び、そのプログラムを記憶した記憶媒体は、本発明の好適な一実施形態を例示したものであり、その他の実施形態を除外するものではない。
【００５０】
例えば、本実施形態においては、画像データを出力する記憶媒体のサイズは、作業者が媒体指定部２３において、そのサイズを指定することで取得されることとしたが、この他にも、例えばカラーレーザープリンタ３に装填されている各記憶媒体の内、最大のサイズのものが自動的に選択されることで取得されたり、カラーレーザープリンタ３に装填されている各記憶媒体の内、デフォルト設定されたサイズのものが自動的に選択されることで取得されることとしても良い。
【００５１】
【発明の効果】
以上に説明したように、本発明に係る画像出力システム、制御装置、画像抽出方法、その方法を実行させるためのプログラム、及び、そのプログラムを記憶した記憶媒体によれば、記憶媒体に収まり切らない大サイズの面付けされた画像データを出力する場合であっても、作業者が出力する記憶媒体の大きさを適正に指定することで、適切な領域が抽出され、その周縁部をトリミングする処理が行われ、カラーレーザープリンタにより、その抽出された領域が出力されるので、作業者は、当該出力物をＤＣＰとして良好に使用することができる。
【００５２】
このように、本発明に係る画像出力システム、制御装置、画像抽出方法、その方法を実行させるためのプログラム、及び、そのプログラムを記憶した記憶媒体によれば、装置コスト及びランニングコストが安価で高速出力が可能なカラーレーザープリンタを、ＤＣＰを作成する手段として本格的に活用することができるので、装置コストを大幅に低減することができる。
【００５３】
また、本発明に係る画像出力システム、制御装置、画像抽出方法、その方法を実行させるためのプログラム、及び、そのプログラムを記憶した記憶媒体によれば、出力する画像データがＣＴＰで出力される画像データである場合には、本来出力する必要のない余白（トンボ領域やＣＴＰ  Ｐｌａｔｅのパンチ領域のこと）を除いた面付けされた画像データの領域部分のみを対象としてトリミング処理を行い、これを出力することができることから、このような場合においても、カラーレーザープリンタにより適正な領域が出力されて、作業者は、当該出力物をＤＣＰとして良好に使用することができる。
【００５４】
また、本発明に係る画像出力システム、制御装置、画像抽出方法、その方法を実行させるためのプログラム、及び、そのプログラムを記憶した記憶媒体によれば、汎用コンピュータ上のソフトウェアによって、これを実現することが可能であることから、装置コストの上昇を伴うことなく、上述した効果を得ることができる。
【図面の簡単な説明】
【図１】本発明に係る画像出力システムの一実施形態における全体構成を表す構成図である。
【図２】図１に示す画像出力システムにおいて行われる印刷製版業務の一連の流れを表すフローチャートである。
【図３】図１に示す制御装置の詳細構成を表す機能ブロック図である。
【図４】図３に示す制御装置において行われる画像データのトリミング処理の一連の流れを表すフローチャートである。
【図５】図３に示す制御装置のトリミング部においてトリミングの原点座標位置が算出される過程について説明するための説明図である。
【図６】ＣＴＰで出力される画像データの一構成を表す構成図である。
【図７】従来の画像処理装置において行われる画像データの出力処理について説明するための説明図である。
【符号の説明】
１  クライアント端末
２  制御装置
２０  画像データ入力監視部
２１  画像データ保存部
２２  画像データ解析部
２３  媒体指定部
２４  画像領域記憶部
２５  サイズ比較部
２６  トリミング部
２７  スクリーン処理部
３  カラーレーザープリンタ
４  ＣＴＰ用ＲＩＰ
５  ＤＣＰ制御装置
６  ＣＴＰ
７  ＤＣＰ作成装置
【図１】
2005037993.tif 000003
【図２】
2005037993.tif 000004
【図３】
2005037993.tif 000005
【図４】
2005037993.tif 000006
【図５】
2005037993.tif 000007
【図６】
2005037993.tif 000008
【図７】
2005037993.tif 000009